(57)【特許請求の範囲】
【請求項１】
出力部数に関わる第1のプリント設定を有すると共に両面印刷するか否かに関わる設定および用紙サイズに関わる設定およびステイプル処理に関わる設定の少なくとも何れかを含む上記第１のプリント設定以外の第２のプリント設定を有する複数のプリント設定がなされた画像データを、記憶手段を介して、プリント可能な画像出力装置であって、
上記記憶手段に格納された複数の画像データの中から何れかの画像データをユーザにより選択可能にする為の第１の表示を操作部に実行させる表示制御手段と；
上記記憶手段に格納された複数の画像データのうちの上記第１の表示を介して選択された画像データの印刷動作を実行させる出力制御手段と；
を有し、
上記表示制御手段は、
上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数に関係なく１部数分実行させる第１の印刷モードをユーザにより選択可能にする為の第２の表示を上記操作部に実行させ、
上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数分実行させる第２の印刷モードをユーザにより選択可能にする為の第３の表示を上記操作部に実行させ、
上記出力制御手段は、
上記第２の表示を介して上記第１の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数に関係なく１部数分実行させ、
上記第３の表示を介して上記第２の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数分実行させ、
更に、上記表示制御手段は、
上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を、該画像データのプリント設定に含まれる第１のプリント設定および第２のプリント設定のうちの該第２のプリント設定に従い且つ該第１のプリント設定で特定される出力部数の残りの部数分継続実行させる第１の指示をユーザにより入力可能にする為の第４の表示を上記操作部に実行させ、
上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を終了させる第２の指示をユーザにより入力可能にする為の第５の表示を上記操作部に実行させ、
上記第１の印刷モードによる印刷動作がなされたうえで、上記記憶手段に格納された複数の画像データのうちの上記第１の表示を介して選択され且つ上記第１の印刷モードで印刷動作がなされた画像データのプリント設定を変更させる第３の指示をユーザにより入力可能にする為の第６の表示を上記操作部に実行させ、
更に、上記出力制御手段は、
上記第１の印刷モードによる印刷動作がなされたうえで上記第４の表示を介して上記第１の指示が入力された場合に、上記記憶手段に格納された複数の画像データのうちの上記第１の表示を介して選択され且つ上記第１の印刷モードで印刷動作がなされた画像データの印刷動作を該画像データのプリント設定に含まれる第１のプリント設定および第２のプリント設定のうちの該第２のプリント設定に従い且つ該第１のプリント設定で特定される出力部数の残りの部数分継続実行可能にし、
上記第１の印刷モードによる印刷動作がなされたうえで上記第５の表示を介して上記第２の指示が入力された場合に、上記記憶手段に格納された複数の画像データのうちの上記第１の表示を介して選択され且つ上記第１の印刷モードで印刷動作がなされた画像データの印刷動作を終了可能にし、
上記第１の印刷モードによる印刷動作がなされたうえで上記第６の表示を介して上記第３の指示が入力された場合に、上記記憶手段に格納された複数の画像データのうちの上記第１の表示を介して選択され且つ上記第１の印刷モードで印刷動作がなされた画像データのプリント設定を変更可能にすると共に、再度上記第１の印刷モードを実行可能にすることを特徴とする画像出力装置。
【請求項２】
送信先の宛先数に関わる設定および送信サイズに関わる設定および拡大縮小率に関わる設定およびページ出力順序に関わる設定の少なくとも何れかを含むファクシミリ送信設定がなされた画像データを、記憶手段を介して、ファクシミリ送信可能な画像出力装置であって、
上記記憶手段に格納された複数の画像データの中から何れかの画像データをユーザにより選択可能にする為の第１の表示を操作部に実行させる表示制御手段と；
上記記憶手段に格納された複数の画像データのうちの上記第１の表示を介して選択された画像データの印刷動作およびファクシミリ送信動作を選択的に実行させる出力制御手段と；
を有し、
上記表示制御手段は、
上記第１の表示を介して選択された画像データの印刷動作を１部数分実行させるテスト印刷モードをユーザにより選択可能にする為の第２の表示を上記操作部に実行させ、
上記第１の表示を介して選択された画像データのファクシミリ送信動作を実行させるファクシミリ送信モードをユーザにより選択可能にする為の第３の表示を上記操作部に実行させ、
上記出力制御手段は、
上記第２の表示を介して上記テスト印刷モードが選択された場合に、上記記憶手段に格納された複数の画像データのうちの上記第１の表示を介して選択された画像データの印刷動作を１部数分実行させ、
上記第３の表示を介して上記ファクシミリ送信モードが選択された場合に、上記記憶手段に格納された複数の画像データのうちの上記第１の表示を介して選択された画像データのファクシミリ送信動作を実行させ、
更に、上記表示制御手段は、
上記テスト印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を実行させる第１の指示をユーザにより入力可能にする為の第４の表示を上記操作部に実行させ、
上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を終了させる第２の指示をユーザにより入力可能にする為の第５の表示を上記操作部に実行させ、
上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信設定を変更させる第３の指示をユーザにより入力可能にする為の第６の表示を上記操作部に実行させ、
更に、上記出力制御手段は、
上記テスト印刷モードによる印刷動作がなされたうえで上記第４の表示を介して上記第１の指示が入力された場合に、上記記憶手段に格納された複数の画像データのうちの上記第１の表示を介して選択され且つ上記テスト印刷モードで印刷動作がなされた画像データのファクシミリ送信動作を実行可能にし、
上記テスト印刷モードによる印刷動作がなされたうえで上記第５の表示を介して上記第２の指示が入力された場合に、上記記憶手段に格納された複数の画像データのうちの上記第１の表示を介して選択され且つ上記テスト印刷モードで印刷動作がなされた画像データのファクシミリ送信動作を終了可能にし、
上記テスト印刷モードによる印刷動作がなされたうえで上記第６の表示を介して上記第３の指示が入力された場合に、上記記憶手段に格納された複数の画像データのうちの上記第１の表示を介して選択され且つ上記テスト印刷モードで印刷動作がなされた画像データのファクシミリ送信設定を変更可能にすると共に、再度上記テスト印刷モードを実行可能にすることを特徴とする画像出力装置。
【請求項３】
請求項１または２において、
画像データを入力する画像入力手段を有し、この画像入力手段が画像を読み取る読み取り装置であることを特徴とする画像出力装置。
【請求項４】
請求項１または２において、
画像データを入力する画像入力手段を有し、この画像入力手段がコンピュータ機器から入力されるコードデータを画像データに展開する展開手段を有することを特徴とする画像出力装置。
【請求項５】
請求項１〜４のいずれか１項において、
上記画像出力装置は、コピー機能と共に少なくともプリント機能を含む複数の機能を有し、入力された画像データを、ハードディスクを介して出力可能にすることを特徴とする画像出力装置。
【請求項６】
請求項１〜５のいずれか１項において、
上記第１の印刷モードを上記画像出力装置の操作部を介して選択可能とすることを特徴とする画像出力装置。
【請求項７】
請求項１〜６のいずれか１項において、
ドライバソフトウェアがインストールされているコンピュータ機器にて、該画像出力装置にて出力対象となる画像データに対するプリント設定を可能にすると共に、該コンピュータ機器において上記第１の印刷モードを選択可能とすることを特徴とする画像出力装置。
【請求項８】
出力部数に関わる第1のプリント設定を有すると共に両面印刷するか否かに関わる設定および用紙サイズに関わる設定およびステイプル処理に関わる設定の少なくとも何れかを含む上記第１のプリント設定以外の第２のプリント設定を有する複数のプリント設定がなされた画像データを、記憶手段を介して、プリント可能な画像出力装置の為の画像出力方法であって、
上記記憶手段に格納された複数の画像データの中から何れかの画像データをユーザにより選択可能にする為の第１の表示を操作部に実行させる表示制御ステップと；
上記記憶手段に格納された複数の画像データのうちの上記第１の表示を介して選択された画像データの印刷動作を実行させる出力制御ステップと；
を有し、
上記表示制御ステップは、
上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数に関係なく１部数分実行させる第１の印刷モードをユーザにより選択可能にする為の第２の表示を上記操作部に実行可能にし、
上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数分実行させる第２の印刷モードをユーザにより選択可能にする為の第３の表示を上記操作部に実行可能にし、
上記出力制御ステップは、
上記第２の表示を介して上記第１の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数に関係なく１部数分実行可能にし、
上記第３の表示を介して上記第２の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数分実行可能にし、
更に、上記表示制御ステップは、
上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を、該画像データのプリント設定に含まれる第１のプリント設定および第２のプリント設定のうちの該第２のプリント設定に従い且つ該第１のプリント設定で特定される出力部数の残りの部数分継続実行させる第１の指示をユーザにより入力可能にする為の第４の表示を上記操作部に実行可能にし、
上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を終了させる第２の指示をユーザにより入力可能にする為の第５の表示を上記操作部に実行可能にし、
上記第１の印刷モードによる印刷動作がなされたうえで、上記記憶手段に格納された複数の画像データのうちの上記第１の表示を介して選択され且つ上記第１の印刷モードで印刷動作がなされた画像データのプリント設定を変更させる第３の指示をユーザにより入力可能にする為の第６の表示を上記操作部に実行可能にし、
更に、上記出力制御ステップは、
上記第１の印刷モードによる印刷動作がなされたうえで上記第４の表示を介して上記第１の指示が入力された場合に、上記記憶手段に格納された複数の画像データのうちの上記第１の表示を介して選択され且つ上記第１の印刷モードで印刷動作がなされた画像データの印刷動作を該画像データのプリント設定に含まれる第１のプリント設定および第２のプリント設定のうちの該第２のプリント設定に従い且つ該第１のプリント設定で特定される出力部数の残りの部数分継続実行可能にし、
上記第１の印刷モードによる印刷動作がなされたうえで上記第５の表示を介して上記第２の指示が入力された場合に、上記記憶手段に格納された複数の画像データのうちの上記第１の表示を介して選択され且つ上記第１の印刷モードで印刷動作がなされた画像データの印刷動作を終了可能にし、
上記第１の印刷モードによる印刷動作がなされたうえで上記第６の表示を介して上記第３の指示が入力された場合に、上記記憶手段に格納された複数の画像データのうちの上記第１の表示を介して選択され且つ上記第１の印刷モードで印刷動作がなされた画像データのプリント設定を変更可能にすると共に、再度上記第１の印刷モードを実行可能にすることを特徴とする画像出力方法。
【請求項９】
送信先の宛先数に関わる設定および送信サイズに関わる設定および拡大縮小率に関わる設定およびページ出力順序に関わる設定の少なくとも何れかを含むファクシミリ送信設定がなされた画像データを、記憶手段を介して、ファクシミリ送信可能な画像出力装置の為の画像出力方法であって、
上記記憶手段に格納された複数の画像データの中から何れかの画像データをユーザにより選択可能にする為の第１の表示を操作部に実行させる表示制御ステップと；
上記記憶手段に格納された複数の画像データのうちの上記第１の表示を介して選択された画像データの印刷動作およびファクシミリ送信動作を選択的に実行させる出力制御ステップと；
を有し、
上記表示制御ステップは、
上記第１の表示を介して選択された画像データの印刷動作を１部数分実行させるテスト印刷モードをユーザにより選択可能にする為の第２の表示を上記操作部に実行可能にし、
上記第１の表示を介して選択された画像データのファクシミリ送信動作を実行させるファクシミリ送信モードをユーザにより選択可能にする為の第３の表示を上記操作部に実行可能にし、
上記出力制御ステップは、
上記第２の表示を介して上記テスト印刷モードが選択された場合に、上記記憶手段に格納された複数の画像データのうちの上記第１の表示を介して選択された画像データの印刷動作を１部数分実行可能にし、
上記第３の表示を介して上記ファクシミリ送信モードが選択された場合に、上記記憶手段に格納された複数の画像データのうちの上記第１の表示を介して選択された画像データのファクシミリ送信動作を実行可能にし、
更に、上記表示制御ステップは、
上記テスト印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を実行させる第１の指示をユーザにより入力可能にする為の第４の表示を上記操作部に実行可能にし、
上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を終了させる第２の指示をユーザにより入力可能にする為の第５の表示を上記操作部に実行可能にし、
上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信設定を変更させる第３の指示をユーザにより入力可能にする為の第６の表示を上記操作部に実行可能にし、
更に、上記出力制御ステップは、
上記テスト印刷モードによる印刷動作がなされたうえで上記第４の表示を介して上記第１の指示が入力された場合に、上記記憶手段に格納された複数の画像データのうちの上記第１の表示を介して選択され且つ上記テスト印刷モードで印刷動作がなされた画像データのファクシミリ送信動作を実行可能にし、
上記テスト印刷モードによる印刷動作がなされたうえで上記第５の表示を介して上記第２の指示が入力された場合に、上記記憶手段に格納された複数の画像データのうちの上記第１の表示を介して選択され且つ上記テスト印刷モードで印刷動作がなされた画像データのファクシミリ送信動作を終了可能にし、
上記テスト印刷モードによる印刷動作がなされたうえで上記第６の表示を介して上記第３の指示が入力された場合に、上記記憶手段に格納された複数の画像データのうちの上記第１の表示を介して選択され且つ上記テスト印刷モードで印刷動作がなされた画像データのファクシミリ送信設定を変更可能にすると共に、再度上記テスト印刷モードを実行可能にすることを特徴とする画像出力方法。
【請求項１０】
請求項８または９において、
上記画像出力装置は、画像を読み取る読み取り装置からの画像データを出力可能であることを特徴とする画像出力方法。
【請求項１１】
請求項８または９において、
上記画像出力装置は、コンピュータ機器から入力されるコードデータを画像データに展開する展開手段からの画像データを出力可能であることを特徴とする画像出力方法。
【請求項１２】
請求項８〜１１のいずれか１項において、
上記画像出力装置は、コピー機能と共に少なくともプリント機能を含む複数の機能を有し、入力された画像データを、ハードディスクを介して出力可能にすることを特徴とする画像出力方法。
【請求項１３】
請求項８〜１２のいずれか１項において、
上記第１の印刷モードを上記画像出力装置の操作部を介して選択可能とすることを特徴とする画像出力方法。
【請求項１４】
請求項８〜１３のいずれか１項において、
ドライバソフトウェアがインストールされているコンピュータ機器にて、該画像出力装置にて出力対象となる画像データに対するプリント設定を可能にすると共に、該コンピュータ機器において上記第１の印刷モードを選択可能とすることを特徴とする画像出力方法。
【発明の詳細な説明】
【０００１】
【発明の属する技術分野】
本発明は、種々の画像データを複数部出力できる画像出力装置に関する。
【０００２】
【従来の技術】
近年の複写機におけるデジタル化に伴い、複写機のスキャナ、プリンタを使用してファクシミリ送受信を行ったり、ＰＤＬ（Ｐａｇｅ  Ｄｅｓｃｒｉｐｔｉｏｎ  Ｌａｎｇａｇｅ）プリンタ等、複数の機能を合わせもつ複合機が実用化されてきている。
【０００３】
このような複合機は、複写機機能、ファクシミリ機能、ＰＤＬプリント機能等の単機能だけでなく、たとえばＰＤＬ展開画像をファクシミリ送信するといった複数の機能間でも動作可能となるように構成されている。
【０００４】
さらに、複合機をＬＡＮ経由で接続することにより、コンピュータ装置等でも複合機の機能を利用できるように構成されている。
【０００５】
【発明が解決しようとする課題】
しかしながら、上記従来例では、上述のような多機能化に伴い、ユーザに必要とされる操作も複雑化し、その結果、操作ミス、設定ミスに起因する用紙や通信コストの無駄の発生頻度が増大してしまうという問題があった。
【０００６】
たとえば、ＰＤＬプリントにおいて、同一原稿を配布用に複数部を両面プリントアウトして、各々ステイプル止めするような場合、コンピュータ機器側での操作ミス、設定ミスにより、両面でなく片面で複数部プリントアウトされてしまうことがあり、用紙を大量に無駄にしてしまうことがある。また、ＰＤＬ展開された画像データをダイレクトにファクシミリ送信する場合、コンピュータ機器側での操作ミス、設定ミスにより、所望の文書とは異なる文書を送信してしまい、通信コストを無駄にしてしまうことがあった。
【０００７】
そこで本発明は、操作ミスや設定ミスによる用紙や通信コストの無駄を削減し、確実に所望の出力結果を得ることのできる画像出力装置を提供することを目的とする。
【０００８】
【課題を解決するための手段】
本発明は、出力部数に関わる第1のプリント設定を有すると共に両面印刷するか否かに関わる設定および用紙サイズに関わる設定およびステイプル処理に関わる設定の少なくとも何れかを含む上記第１のプリント設定以外の第２のプリント設定を有する複数のプリント設定がなされた画像データを、記憶手段を介して、プリント可能な画像出力装置であって、上記記憶手段に格納された複数の画像データの中から何れかの画像データをユーザにより選択可能にする為の第１の表示を操作部に実行させる表示制御手段と、上記記憶手段に格納された複数の画像データのうちの上記第１の表示を介して選択された画像データの印刷動作を実行させる出力制御手段とを有し、上記表示制御手段は、上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数に関係なく１部数分実行させる第１の印刷モードをユーザにより選択可能にする為の第２の表示を上記操作部に実行させ、上記第１の表示を介して選択された画像データの印刷動作を該選択された画像データのプリント設定に含まれる第１のプリント設定および第２のプリント設定のうちの該第２のプリント設定に従い且つ該第１のプリント設定で特定される出力部数分実行させる第２の印刷モードをユーザにより選択可能にする為の第３の表示を上記操作部に実行させ、上記出力制御手段は、上記第２の表示を介して上記第１の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数に関係なく１部数分実行させ、上記第３の表示を介して上記第２の印刷モードが選択された場合に、上記記憶手段に格納された複数の画像データのうちの上記第１の表示を介して選択された画像データの印刷動作を、該選択された画像データのプリント設定に含まれる第１のプリント設定および第２のプリント設定のうちの該第２のプリント設定に従い且つ該第１のプリント設定で特定される出力部数分実行させ、更に、上記表示制御手段は、上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を、該画像データのプリント設定に含まれる第１のプリント設定および第２のプリント設定のうちの該第２のプリント設定に従い且つ該第１のプリント設定で特定される出力部数の残りの部数分継続実行させる第１の指示をユーザにより入力可能にする為の第４の表示を上記操作部に実行させ、上記第１の印刷モードによる印刷動作がなされたうえで、上記記憶手段に格納された複数の画像データのうちの上記第１の表示を介して選択され且つ上記第１の印刷モードで印刷動作がなされた画像データの印刷動作を終了させる第２の指示をユーザにより入力可能にする為の第５の表示��上記操作部に実行させ、上記第１の印刷モードによる印刷動作がなされたうえで、上記記憶手段に格納された複数の画像データのうちの上記第１の表示を介して選択され且つ上記第１の印刷モードで印刷動作がなされた画像データのプリント設定を変更させる第３の指示をユーザにより入力可能にする為の第６の表示を上記操作部に実行させ、更に、上記出力制御手段は、上記第１の印刷モードによる印刷動作がなされたうえで上記第４の表示を介して上記第１の指示が入力された場合に、上記記憶手段に格納された複数の画像データのうちの上記第１の表示を介して選択され且つ上記第１の印刷モードで印刷動作がなされた画像データの印刷動作を該画像データのプリント設定に含まれる第１のプリント設定および第２のプリント設定のうちの該第２のプリント設定に従い且つ該第１のプリント設定で特定される出力部数の残りの部数分継続実行可能にし、上記第１の印刷モードによる印刷動作がなされたうえで上記第５の表示を介して上記第２の指示が入力された場合に、上記記憶手段に格納された複数の画像データのうちの上記第１の表示を介して選択され且つ上記第１の印刷モードで印刷動作がなされた画像データの印刷動作を終了可能にし、上記第１の印刷モードによる印刷動作がなされたうえで上記第６の表示を介して上記第３の指示が入力された場合に、上記記憶手段に格納された複数の画像データのうちの上記第１の表示を介して選択され且つ上記第１の印刷モードで印刷動作がなされた画像データのプリント設定を変更可能にすると共に、再度上記第１の印刷モードを実行可能にするものである。
【０００９】
また、本発明は、送信先の宛先数に関わる設定および送信サイズに関わる設定および拡大縮小率に関わる設定およびページ出力順序に関わる設定の少なくとも何れかを含むファクシミリ送信設定がなされた画像データを、記憶手段を介して、ファクシミリ送信可能な画像出力装置であって、上記記憶手段に格納された複数の画像データの中から何れかの画像データをユーザにより選択可能にする為の第１の表示を操作部に実行させる表示制御手段と、上記記憶手段に格納された複数の画像データのうちの上記第１の表示を介して選択された画像データの印刷動作およびファクシミリ送信動作を選択的に実行させる出力制御手段とを有し、上記表示制御手段は、上記第１の表示を介して選択された画像データの印刷動作を１部数分実行させるテスト印刷モードをユーザにより選択可能にする為の第２の表示を上記操作部に実行させ、上記第１の表示を介して選択された画像データのファクシミリ送信動作を実行させるファクシミリ送信モードをユーザにより選択可能にする為の第３の表示を上記操作部に実行させ、上記出力制御手段は、上記第２の表示を介して上記テスト印刷モードが選択された場合に、上記記憶手段に格納された複数の画像データのうちの上記第１の表示を介して選択された画像データの印刷動作を１部数分実行させ、上記第３の表示を介して上記ファクシミリ送信モードが選択された場合に、上記記憶手段に格納された複数の画像データのうちの上記第１の表示を介して選択された画像データのファクシミリ送信動作を実行させ、更に、上記表示制御手段は、上記テスト印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を実行させる第１の指示をユーザにより入力可能にする為の第４の表示を上記操作部に実行させ、上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信動作を終了させる第２の指示をユーザにより入力可能にする為の第５の表示を上記操作部に実行させ、上記第１の印刷モードによる印刷動作がなされたうえで、上記記憶手段に格納された複数の画像データのうちの上記第１の表示を介して選択され且つ上記テスト印刷モードで印刷動作がなされた画像データのファクシミリ送信設定を変更させる第３の指示をユーザにより入力可能にする為の第６の表示を上記操作部に実行させ、更に、上記出力制御手段は、上記テスト印刷モードによる印刷動作がなされたうえで上記第４の表示を介して上記第１の指示が入力された場合に、上記記憶手段に格納された複数の画像データのうちの上記第１の表示を介して選択され且つ上記テスト印刷モードで印刷動作がなされた画像データのファクシミリ送信動作を実行可能にし、上記テスト印刷モードによる印刷動作がなされたうえで上記第５の表示を介して上記第２の指示が入力された場合に、上記記憶手段に格納された複数の画像データのうちの上記第１の表示を介して選択され且つ上記テスト印刷モードで印刷動作がなされた画像データのファクシミリ送信動作を終了可能にし、上記テスト印刷モードによる印刷動作がなされたうえで上記第６の表示を介して上記第３の指示が入力された場合に、上記記憶手段に格納された複数の画像データのうちの上記第１の表示を介して選択され且つ上記テスト印刷モードで印刷動作がなされた画像データのファクシミリ送信設定を変更可能にすると共に、再度上記テスト印刷モードを実行可能にするものである。
【００１０】
【発明の実施の形態および実施例】
図１は、本発明の実施例における画像入出力装置の構成を示すブロック図である。
【００１１】
図において、リーダ部１は、原稿の画像を読み取り、原稿画像に応じた画像データをプリンタ部２および画像入出力制御部３へ出力するものである。また、プリンタ部２は、リーダ部１および画像入出力制御部３からの画像データに応じた画像を記録紙上に記録するものである。
【００１２】
また、画像入出力制御部３は、リーダ部１に接続されており、ファクシミリ部４、ファイル部５、コンピュータインターフェイス部７、フォーマッタ部８、コア部１０等からなる。
【００１３】
ファクシミリ部４は、電話回線を介して受信した圧縮画像データを伸長し、この伸長した画像データをコア部１０へ転送し、また、コア部１０から転送された画像データを庄縮し、この圧縮画像データを電話回線を介して送信するものである。なお、ファクシミリ部４にはハードディスク１２が接続されており、受信した圧縮画像データを一時的に保存することができる。
【００１４】
また、ファイル部５は、ハードディスク６が接続され、コア部１０から転送された画像データを圧縮し、その画像データを検索するためのＩＤ番号とともにハードディスク６に記憶させるものである。また、ファイル部５は、コア部１０を介して転送されたコードデータに基づいて、ハードディスク６に記憶されている圧縮画像データを検索し、この検索した圧縮画像データを読み出して仲長し、伸長した画像データをコア部１０へ転送するものである。
【００１５】
また、コンピュータインターフェイス部７は、パーソナルコンピュータまたはワークステーション（ＰＣ／ＷＳ）１１とコア部１０の間のインターフェィスである。また、フォーマッタ部８は、ＰＣ／ＷＳ１１から転送された画像を表すコードデータ（ＰＤＬ）をプリンタ部２で記録できる画像データに展開するものである。
【００１６】
さらに、コア部１０は、リーダ部１、ファクシミリ部４、ファイル部５、コンピュータインターフェイス部７、フォーマッタ部８のそれぞれの間のデータの流れを制御するものである。
【００１７】
図２は、リーダ部１およびプリンタ部２の構造を示す断面図である。
【００１８】
リーダ部１の原稿給送装置１０１は、原稿を最終順に１枚ずつプラテンガラス１０２上へ給送し、原稿の読み取り動作終了後、プラテンガラス１０２上の原稿を排出するものである。
【００１９】
原稿がプラテンガラス１０２上に搬送されると、ランプ１０３を点灯し、そしてスキャナユニット１０４の移動を開始させて、原稿を露光走査する。このときの原稿からの反射光は、ミラー１０５、１０６、１０７、およびレンズ１０８によってＣＣＤイメージセンサ（以下、ＣＣＤという）１０９ヘ導かれる。
【００２０】
このように、走査された原稿の画像は、ＣＣＤ１０９によって読み取られるＣＣＤ１０９から出力される画像データは、所定の処理が施された後、プリンタ部２および画像入出力制御部３のコア部１０へ転送される。
【００２１】
プリンタ部２のレーザドライバ２２１は、レーザ発光部２０１を駆動するものであり、リーダ部１から出力された画像データに応じたレーザ光をレーザ発光部２０１に発光させる。このレーザ光は、感光ドラム２０２に照射され、感光ドラム２０２にはレーザ光に応じた潜像が形成される。
【００２２】
この感光ドラム２０２の潜像の部分には現像器２０３によって現像剤が付着される。そして、レーザ光の照射開始と同期したタイミングで、カセット２０４およびカセット２０５のいずれかから記録紙を給紙して転写部２０６へ搬送し、感光ドラム２０２に付着された現像剤を記録紙に転写する。
【００２３】
現像剤の乗った記録紙は定着部２０７に搬送され、定着部２０７の熱と圧力により現像剤は記像紙に定着される。定着部２０７を通過した記録紙は排出ローラ２０８によって排出され、ソータ２２０は、排出された記録紙をそれぞれのビンに収納して記録紙の仕分けをしたり、仕分けされた記録紙のステイプルを行う。なお、ソータ２２０は、仕分けが設定されていない場合、最上ビンに記録紙を収納する。
【００２４】
また、両面記録が設定されている場合は、排出ローラ２０８のところまで記録紙を搬送した後、排出ローラ２０８の回転方向を逆転させ、フラッパ２０９によって再給紙搬送路２１０へ導く。
【００２５】
また、多重記録が設定されている場合は、記録紙を排出ローラ２０８まで搬送しないようにフラッパ２０９によって再給紙搬送路２１０へ導く。再給紙搬送路２１０へ導かれた記録紙は上述したタイミングで転写部２０６へ給紙される。
【００２６】
図３は、リーダ部１の構成を示すブロック図である。
【００２７】
ＣＣＤ１０９から出力された画像データは、Ａ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インターフェイス部１１３を介して画像入出力制御部３のコア部１０へ転送される。
【００２８】
ＣＰＵ１１４は、操作部１１５で設定された設定内容に応じて画像処理部１１１およびインターフェイス１１３を制御する。
【００２９】
たとえば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェース１１３から画像データと設定されたモードに応じた制御コマンドをコア部１０へ転送させる。
【００３０】
このようなＣＰＵ１１４の制御プログラムは、メモリ１１６に記憶されており、ＣＰＵ１１４はメモリ１１６を参照しながら制御を行う。また、メモリ１１６はＣＰＵ１１４の作業領域としても使われる。
【００３１】
図４は、コア部１０の構成を示すブロック図である。
【００３２】
リーダ部１からの画像データはデータ処理部１２１へ転送され、リーダ部１からの制御コマンドはＣＰＵ１２３へ転送される。データ処理部１２１は、画像の回転処理や変倍処理等の画像処理を行うものであり、リーダ部１からデータ処理部１２１ヘ転送された画像データは、リーダ部１から転送された制御コマンドに応じて、インターフェイス１２０を介してファクシミリ部４、ファイル部５、コンピュータインターフェイス部７へ転送される。
【００３３】
また、コンピュータインターフェイス部７を介して入力された画像を表すコードデータ（ＰＤＬ）は、データ処理部１２１に転送された後フォーマッタ部８へ転送されて画像データに展開され、この画像データはデータ処理部１２１に転送された後、ファクシミリ部４、プリンタ部２、ファイル部５へ転送される。
【００３４】
また、ファクシミリ部４からの画像データは、データ処理部１２１へ転送された後、プリンタ部２やファィル部５、コンピュータインターフェイス部７へ転送される。さらに、ファィル部５からの画像データは、データ処理部１２１へ転送された後、プリンタ部２やファクシミリ部４、コンピュータインターフェイス部７へ転送される。
【００３５】
ＣＰＵ１２３は、メモリ１２４に記憶されている制御プログラム、およびリーダ部１から転送された制御コマンドに従って、以上のような制御を行う。また、メモリ１２４はＣＰＵ１２３の作業領域としても使われる。
【００３６】
このように、コア部１０を中心に、原稿画像の読み取り、画像のプリント、画像の送受信、画像の保存、コンピュータからのデータの入出力等の機能を複合させた処理を行うことが可能である。
【００３７】
次に、本実施例に係る画像入出力装置におけるプリント処理動作について図５を用いて説明する。
【００３８】
図５は、本実施例に係る画像入出力装置のプリント処理動作手順を示すフローチャートである。
【００３９】
まず、Ｓ５０１では、ＰＣ／ＷＳ１１上でユーザがプリント設定を行う。このプリント設定内容は、部数、用紙サイズ、拡大縮小率、片面／両面、ページ出力順序、ソート出力、ステイプル止めの有無等である。
【００４０】
Ｓ５０２では、ＰＣ／ＷＳ１１上で印刷指示を与え、それとともにＰＣ／ＷＳ１１上にインストールされているドライバソフトウェアが印刷対象となるコードデータをいわゆるＰＤＬデータに変換し、このＰＤＬデータを、Ｓ５０１で設定したプリント設定パラメータとともに、ＰＣ／ＷＳ１１に接続されたコンピュータインターフェース経由で、本画像入出力装置のコンピュータインターフェース部７に転送する。
【００４１】
Ｓ５０３では、コンピュータインターフェース部７を介して入力された画像を表すＰＤＬデータがデータ処理部１２１に転送された後、フォーマッタ部８へ転送され、フォーマッタ部８では、転送されたＰＤＬデータを画像データに展開（ラスタライズ）する。そして、この画像デー夕の展開が完了すると、Ｓ５０４へ進む。
【００４２】
Ｓ５０４では、フォーマッタ部８で展開された画像データがファイル部５へ転送され、ファイル部５のハードディスク６に画像データが順次記録される。Ｓ５０１で設定したプリント設定パラメータも、ファイル部５のハードディスク６に記憶される。
【００４３】
このようにして、ＰＣ／ＷＳ１１からファイル部５のハードディスク６に、印刷したい文書の各ページに相当する画像データが順次記録され、本文書に対するプリント設定もハードディスク６に合わせて記憶される。以下、説明のため、印刷対象の文書の属性を以下の通りとする。
【００４４】
文書名：配布資料・・・・・・（Ａ１）
ページ数：１０ページ・・・・（Ａ２）
また、以下のプリント設定がなされているものとする。
【００４５】
印刷部数：１０部・・・・・・（Ｐ１）
両面印刷する・・・・・・・・（Ｐ２）
用紙サイズ：Ａ４・・・・・・（Ｐ３）
拡大縮小率：１００％・・・・（Ｐ４）
ページ出力順序：昇順・・・・（Ｐ５）
ソート出力：する・・・・・・（Ｐ６）
ステイプル止め：する・・・・（Ｐ７）
Ｓ５０５では、ハードディスク６に格納された文書（配布資料）の各ページを、設定されたプリント設定に従って１部プリント出力する。なお、このプリント設定では、前述した（Ｐ１）を１部とし、（Ｐ２）から（Ｐ７）は設定された内容に従う。
【００４６】
次に、図６に示す操作部１１５の「ＰＢ」キー６０１の押下に基づき、操作部１１５のタッチパネル上に図６に示す操作画面を表示する。この操作画面において、文書名表示フィールド６０２は、ハードディスク６に記憶された文書がリスト表示されるものである。また、「詳細情報」キー６０３は、選択された文書の詳細情報を表示するためのキーである。
【００４７】
また、「テストプリント」キー６０４は、テストプリントを指示するキーであり、詳細は後述する。「プリント」キー６０５は、通常のプリント、すなわち指定された部数分を一括してプリント出力するためのキーである。「消去」キー６０６は、選択された文書の画像データを消去するためのキーである。
【００４８】
「カーソル」キー６０７、６０８は、文書名表示フィールド６０２中の文書から所望の文書を選択するのに用いる。「設定変更」キー６０９は、Ｓ５０１で設定したプリント設定の変更を可能とするものである。
【００４９】
次に、「テストプリント」キー６０４が押下された場合の動作を説明する。まず、この「テストプリント」キー６０４が押下されると、操作画面を図７に示すように切り替える。
【００５０】
この図７では、「配布資料」文書を印刷部数１部としてプリントする設定が表示される。ここで、「取消」キー７０２は処理の取消で、これが押下されると、図６の操作画面に戻る。
【００５１】
また、「プリント実行」キー７０１が押下されると、操作画面を図８に示すように切り替えるとともに、「配布資料」の各ページの画像データを順次プリンタ部２へ転送してプリント設定（Ｐ２）から（Ｐ７）に従って出力する。なお、「中止」キー８０１は、プリント中断のためのキーである。
【００５２】
次に、Ｓ５０６では、操作画面を図９に示すように切り替える。この図９では、印刷部数設定は自動的に残り９部に設定される。ここで「取消」キー９０１が押下されると、Ｓ５０８へ進み、継続プリントを中止して終了し、図６に示す操作画面に戻る。
【００５３】
なお、ここで、図６の「設定変更」キー６０９が押下されることにより、プリント設定を変更可能とするように構成しても良い。その場合は、Ｓ５０５へ戻ることとなる。
【００５４】
また、「プリント実行」キー９０２が押下されると、Ｓ５０７へ進み、操作画面を図１０に示すように切り替えるとともに、「配布資料」の各ページの画像データを順次プリンタ部２へ転送してプリント設定（Ｐ２）から（Ｐ７）に従って９部プリント出力する。
【００５５】
なお、以上の例では、ＰＣ／ＷＳ１１上で設定したプリント設定に従ってＰＣ／ＷＳ１１からＰＤＬデータとして画像情報を転送し、本画像入出力装置でＰＤＬデータを画像データに展開してプリント出力する形態について説明したが、リーダ部１で読み取った画像データをプリント出力する場合についても同様に容易に適用することが可能である。
【００５６】
また、以上の例では、画像入出力装置側で、テストプリント可能とするように構成しているが、ＰＣ／ＷＳ１１上でテストプリントするか否かを切り替えるような設定を行い、この設定に従って画像入出力装置が動作するように構成しても良い。
【００５７】
さらに、一般に画像データはページ順の昇順に転送されるが、ＰＣ／ＷＳ１１上のプリンタドライバソフトの設定やリーダ部１の構成によっては、ページの降順に転送される場合もあり得る。このため、前述したハードディスク６中の画像データを昇順あるいは降順に並べ替えられるように構成しても良い。
【００５８】
以上説明したように、本例によれば、プリント設定で複数部数の設定がされた場合、まず、１部のみ指定されたプリント設定に従ってテストプリントし、１部プリント出力完了後に実際にプリント出力された文書を確認し、さらに残りの部数分の文書をプリントするか、あるいは中止するか、さらにはプリント設定の再設定を可能とするように制御することで、コンピュータ機器側での設定ミスに起因する用紙の無駄を削減することが可能であり、また、確実に所望の出力結果を得ることが可能である。
【００５９】
次に、本発明の第２実施例について説明する。
【００６０】
以下、本実施例に係る画像入出力装置におけるファクシミリ送信処理動作について図１１を用いて説明する。
【００６１】
図１１は、本実施例に係る画像入出力装置のファクシミリ送信処理動作手順を示すフローチャートである。
【００６２】
まず、Ｓ１１０１では、ＰＣ／ＷＳ１１上でユーザがファクシミリ送信設定を行う。ファクシミリ送信設定内容は、１つ以上の送信先電話番号、拡大縮小率、ページ出力順序等である。
【００６３】
次に、Ｓ１１０２では、ＰＣ／ＷＳ１１上で印刷指示を与え、それとともにＰＣ／ＷＳ１１上にインストールされているドライバソフトウェアがファクシミリ送信対象となるコードデータをいわゆるＰＤＬデータに変換して、Ｓ１１０１で設定したファクシミリ送信設定パラメータとともに、ＰＣ／ＷＳ１１に接続されたコンピュータインターフェース経由で、本画像入出力装置のコンピュータインターフェース部７にＰＤＬデータを転送する。
【００６４】
Ｓ１１０３では、コンピュータインターフェース部７を介して入力された画像を表すＰＤＬデータがデータ処理部１２１に転送された後、フォーマッタ部８へ転送され、フォーマッタ部８では、転送されたＰＤＬデータを画像データに展開（ラスタライズ）する。画像データの展開が完了すると、Ｓ１１０４へ進む。
【００６５】
Ｓ１１０４では、フォーマッタ部８で展開された画像データがファイル部５へ転送され、ファイル部５のハードディスク６に画像データが順次記憶される。また、Ｓ１１０１で設定したファクシミリ送信設定パラメータも、ファイル部５のハードディスク６に記憶される。
【００６６】
このようにして、ＰＣ／ＷＳ１１からファイル部５のハードディスク６にファクシミリ送信したい文書の各ページに相当する画像データが順次記憶され、本文書に対するファクシミリ送信設定もハードディスク６に合わせて記憶される。以下、説明のためファクシミリ送信対象の文書の属性を以下の通りとする。
【００６７】
文書名：配布資料・・・・・・（Ａ１１）
ページ数：１０ページ・・・・（Ａ１２）
また、以下のプリント設定がなされているものとする。
【００６８】
印刷部数：１部・・・・・・・（Ｐ１）
両面印刷する・・・・・・・・（Ｐ２）
用紙サイズ：Ａ４・・・・・・（Ｐ３）
拡大縮小率：１００％・・・・（Ｐ４）
ページ出力順序：昇順・・・・（Ｐ５）
ソート出力：する・・・・・・（Ｐ６）
ステイプル止め：する・・・・（Ｐ７）
さらに、以下のファクシミリ送信設定がなされているものとする。
【００６９】
送信先の宛先数：１０・・・・（Ｆ１）
送信サイズ：Ａ４・・・・・・（Ｆ２）
拡大縮小率：１００％・・・・（Ｆ３）
ページ出力順序：昇順・・・・（Ｆ４）
Ｓ１１０５では、ハードディスク６に格納された文書（配布資料）の各ページを、設定されたプリント設定に従って１部プリント出力する。まず、操作部１１５のタッチパネル上に図１２の操作画面を表示する。すなわち、「ＰＢ」キー１２０１を押下することにより、図１２の操作画面が表示される。
【００７０】
ここで、文書名表示フィールド１２０２は、ハードディスク６に記憶された文書がリスト表示されるものである。「詳細情報」キー１２０３は、選択された文書の詳細情報を表示するためのキーである。「テストプリント」キー１２０４は、テストプリントを行うためのキーであり、詳細は後述する。
【００７１】
「送信」キー１２０５は、通常のファクシミリ送信、すなわち指定された文書を一括してファクシミリ送信する場合に使用するキーである。「消去」キー１２０６は、選択された文書の画像データを消去するためのものである。
【００７２】
「カーソル」キー１２０７、１２０８は、文書名表示フィールド１２０２中の文書から所望の文書を選択するのに用いる。「設定変更」キー１２０９は、Ｓ１１０１で設定したプリント設定およびファクシミリ送信設定の変更を可能とするものである。
【００７３】
次に、「テストプリント」キー１２０４が押下された場合の動作を説明する。まず、「テストプリント」キー１２０４が押下されると、操作画面を図１３のように切り替える。図１３では「配布資料」文書を印刷部数１部としてプリントする設定が表示される。ここで、「取消」キー７０２は処理の取消を指示するもので、これが押下されると、図１２の操作画面に戻る。
【００７４】
また、「プリント実行」キー７０１が押下されると、操作画面を図１４に示すように切り替えるとともに、「配布資料」の各ページの画像データを順次プリンタ部２へ転送し、プリント設定（Ｐ２）から（Ｐ７）に従って出力する。なお、「中止」キー１４０１は、プリント中断である。
【００７５】
次に、Ｓ１１０６では、操作画面を図１５に示すように切り替える。ここで、「取消」キー１５０１が押下されると、Ｓ１１０８へ進み、送信を中止して終了し、図１２の操作画面に戻る。
【００７６】
なお、ここで「設定変更」キー１２０９が押下されることにより、ファクシミリ送信設定を変更可能とするように構成しても良い。その場合は、Ｓ１１０５へ戻ることとなる。
【００７７】
また、「送信」キー１５０２が押下されると、Ｓ１１０７へ進み、操作画面を図１６に示すように切り替えるとともに、「配布資料」の各ページの画像データを順次ファクス部４へ転送してファクシミリ送信設定（Ｆ１）から（Ｆ４）に従って順次ファクシミリ送信する。
【００７８】
なお、以上の例では、ＰＣ／ＷＳ１１上で設定したファクシミリ送信設定に従って、ＰＣ／ＷＳ１１からＰＤＬデータとして画像情報を転送し、本画像入出力機器でＰＤＬデータを画像データに展開してファクシミリ送信する形態について説明したが、リーダ部１で読み取った画像データをファクシミリ送信する場合についても同様に容易に適用することが可能である。
【００７９】
また、以上の例では、画像入出力装置側でテストプリント可能とするように構成しているが、ＰＣ／ＷＳ１１上でテストプリントするか否かを切り替えるような設定を行い、この設定に従って画像入出力装置が動作するように構成しても良い。
【００８０】
さらに、一般に画像データはページ順の昇順に転送されるが、ＰＣ／ＷＳ１１上のプリンタドライバソフトの設定やリーダ部１の構成によっては、ページの降順に転送される場合もあり得る。このため、前述したハードディスク６中の画像データを昇順あるいは降順に並べ替えられるように構成しても良い。
【００８１】
以上説明したように、本例によれば、ファクシミリ設定で複数の送信宛先の設定がされた場合、まず、１部のみ指定されたプリント設定に従ってテストプリントし、１部プリント出力完了後に実際にプリント出力された文書を確認してから、文書を複数の宛先にファクシミリ送信するか、あるいは中止するか、さらにはファクシミリ送信設定の再設定を可能とするように制御することで、コンピュータ機器側での設定ミスに起因する通信コストの無駄を削減することが可能であり、また、確実に所望の出力結果を得ることが可能である。
【００８２】
【発明の効果】
以上説明したように、本発明によれば、操作ミスや設定ミスによる用紙や通信コストの無駄を削減し、確実に所望の出力結果を得ることができるという効果を奏する。
【図面の簡単な説明】
【図１】本発明の実施例における画像入出力装置の構成を示すブロック図である。
【図２】上記実施例におけるリーダ部およびプリンタ部の構造を示す断面図である。
【図３】上記実施例におけるリーダ部の構成を示すブロック図である。
【図４】上記実施例におけるコア部の構成を示すブロック図である。
【図５】本発明の第１実施例におけるプリント手順を示すフローチャートである。
【図６】上記第１実施例におけるプリント処理手順の操作画面を示す説明図である。
【図７】上記第１実施例におけるプリント処理手順の操作画面を示す説明図である。
【図８】上記第１実施例におけるプリント処理手順の操作画面を示す説明図である。
【図９】上記第１実施例におけるプリント処理手順の操作画面を示す説明図である。
【図１０】上記第１実施例におけるプリント処理手順の操作画面を示す説明図である。
【図１１】本発明の第２実施例におけるプリント手順を示すフローチャートである。
【図１２】上記第２実施例におけるプリント処理手順の操作画面を示す説明図である。
【図１３】上記第２実施例におけるプリント処理手順の操作画面を示す説明図である。
【図１４】上記第２実施例におけるプリント処理手順の操作画面を示す説明図である。
【図１５】上記第２実施例におけるプリント処理手順の操作画面を示す説明図である。
【図１６】上記第２実施例におけるプリント処理手順の操作画面を示す説明図である。
【符号の説明】
１…リーダ部、
２…プリンタ部、
３…画像入出力制御部、
４…ファクシミリ部、
５…ファイル部、
６、１２…ハードディスク、
７…コンピュータインターフェース部、
８…フォーマッタ部、
１０…コア部、
１１…ＰＣ／ＷＳ。
【図１】
0003592029.tif 000002
【図２】
0003592029.tif 000003
【図３】
0003592029.tif 000004
【図４】
0003592029.tif 000005
【図５】
0003592029.tif 000006
【図６】
0003592029.tif 000007
【図７】
0003592029.tif 000008
【図８】
0003592029.tif 000009
【図９】
0003592029.tif 000010
【図１０】
0003592029.tif 000011
【図１１】
0003592029.tif 000012
【図１２】
0003592029.tif 000013
【図１３】
0003592029.tif 000014
【図１４】
0003592029.tif 000015
【図１５】
0003592029.tif 000016
【図１６】
0003592029.tif 000017